(57)【要約】【課題】  親機からの子機の距離がわずかな時間一時的に離れただけでは反応しないようにして、正確な迷子防止を簡単な構成で実現する。【解決手段】  送信機能を有する親機１から、一定の送信電力で電波を送信する。子機２の受信機２１でこれを受信するが、一定時間電波が受信できなくなると、受信機２１は携帯電話機２２に対して電源オンと発信指示を出力する。携帯電話機２２は予め電話帳に登録されている保護者などの電話番号に対して自動発信処理を行う。このとき、電話帳には、電話番号に優先順位をも付与しておき、優先度の高い順に自動発信を試み、応答なければ、所定回数のリダイヤルを実行する。それでも応答なければ、次の優先順位の電話番号に自動発信をなす。これを繰り返すことで、確実に、子機を所有しているユーザである保護を必要とする者と保護者などとの連絡が確実にかつ正確にとれることになり、迷子防止が可能となる。【選択図】      図１
2007129378.tif 000002
【特許請求の範囲】
【請求項１】
電波を送信する親機と、
携帯電話部と、前記親機からの電波が予め設定された時間受信不可の場合に、予め設定された電話番号に対して発信をなすよう前記携帯電話部に対して指示する制御部とを有する子機と、
を含むことを特徴とする迷子防止システム。
【請求項２】
前記携帯電話部はテレビ電話機能を有することを特徴とする請求項１記載の迷子防止システム。
【請求項３】
前記制御部は、前記親機からの電波が予め設定された時間受信不可の場合に、前記携帯電話部の電源をオン制御することを特徴とする請求項１または２記載の迷子防止システム。
【請求項４】
前記携帯電話部は、優先順位と共に電話番号が予め設定された電話帳を有しており、前記制御部からの発信指示に応答して、前記電話帳に登録された電話番号に対して、優先順位に基づき自動発信をなすようにしたことを特徴とする請求項１〜３いずれか記載の迷子防止システム。
【請求項５】
前記携帯電話部は、前記自動発信した相手先の応答がない場合には、予め設定された回数だけリダイヤルを行いつつ、順次低優先の電話番号へ発信するようにしたことを特徴とする請求項４記載の迷子防止システム。
【請求項６】
前記子機の各種設定をなす外部入力装置を、更に含むことを特徴とする請求項１〜５いずれか記載の迷子防止システム。
【請求項７】
親機において、電波を送信するステップと、
子機において、前記親機からの電波を受信するステップと、前記電波が予め設定された時間受信不可の場合に、予め設定された電話番号に対して発信をなす発信制御ステップと含むことを特徴とする迷子防止方法。
【請求項８】
前記発信制御ステップは、前記親機からの電波が予め設定された時間受信不可の場合に、携帯電話部の電源をオン制御するステップを、更に有することを特徴とする請求項７記載の迷子防止方法。
【請求項９】
前記携帯電話部は、優先順位と共に電話番号が予め設定された電話帳を有しており、
前記発信制御ステップは、前記電話帳に登録された電話番号に対して、優先順位に基づき自動発信をなすステップを、更に有することを特徴とする請求項７または８記載の迷子防止方法。
【請求項１０】
前記発信制御ステップは、前記自動発信した相手先の応答がない場合には、予め設定された回数だけリダイヤルを行いつつ、順次低優先の電話番号へ発信するステップを、更に有することを特徴とする請求項９記載の迷子防止方法。
【請求項１１】
前記子機の各種設定を外部入力装置から行うステップを、更に含むことを特徴とする請求項７〜１０いずれか記載の迷子防止方法。
【請求項１２】
迷子防止のために使用される子機であって、
携帯電話部と、
親機からの電波を受信する受信部と、
前記電波が予め設定された時間受信不可の場合に、予め設定された電話番号に対して発信をなすよう前記携帯電話部に対して指示する制御部とを含むことを特徴とする子機。
【請求項１３】
前記携帯電話部はテレビ電話機能を有することを特徴とする請求項１２記載の子機。
【請求項１４】
前記制御部は、前記親機からの電波が予め設定された時間受信不可の場合に、前記携帯電話部の電源をオン制御することを特徴とする請求項１２または１３記載の子機。
【請求項１５】
前記携帯電話部は、優先順位と共に電話番号が予め設定された電話帳を有しており、前記制御部からの発信指示に応答して、前記電話帳に登録された電話番号に対して、優先順位に基づき自動発信をなすようにしたことを特徴とする請求項１２〜１４いずれか記載の子機。
【請求項１６】
前記携帯電話部は、前記自動発信した相手先の応答がない場合には、予め設定された回数だけリダイヤルを行いつつ、順次低優先の電話番号へ発信するようにしたことを特徴とする請求項１５記載の子機。
【請求項１７】
各種設定は、外部入力装置から行われるようにしたことを特徴とする請求項１２〜１６いずれか記載の子機。
【請求項１８】
迷子防止のために使用される親機であって、子機に対して予め設定された送信電力を有する電波を送信する送信機を有することを特徴とする親機。
【請求項１９】
迷子防止のために使用される子機の動作をコンピュータにより読み取らせて実行させるようにしたプログラムであって、
親機からの電波を受信する処理と、
前記電波が予め設定された時間受信不可の場合に、予め設定された電話番号に対して発信をなすよう携帯電話部に対して指示する処理とを含むことを特徴とするプログラム。
【発明の詳細な説明】
【技術分野】
【０００１】
本発明は迷子防止システム及びその方法並びにそれに用いる親機及び子機、プログラムに関し、特に子供や老人など保護を必要とする者の迷子を防止するための迷子防止システム及びその方法並びにそれに用いる親機及び子機、プログラムに関するものである。
【背景技術】
【０００２】
子供や老人など保護を必要とする者を早期に発見できるようにした技術の例として、特許文献１に開示の技術がある。この技術では、親機と子機との間の距離が離れて、親機の応答が確認できなくなると、子機内の記憶部に予め登録されている報知用の音声メッセージを出力するようになっている。同様に、親機においても、報知用音声メッセージが出力されるようになっている。
【０００３】
また、子供や老人などが迷子になった場合に、保護者と連絡がとれるようにした技術が、特許文献２に開示されている。この技術では、保護を必要とする者に、予め親など保護者の携帯電話機の電話番号を登録しておいた通信補助装置を持たせておき、第三者が、この保護を必要とする者を見つけた場合に、通信補助装置を第三者が有する携帯電話機に接続することにより、自動的に、通信補助装置内に登録されている電話番号、すなわち保護者の携帯電話の番号に対して発呼が行われるようになっている。
【０００４】
【特許文献１】特開２００１−０５２２８８号公報
【特許文献２】特開２００３−２３４８４６号公報
【発明の開示】
【発明が解決しようとする課題】
【０００５】
特許文献１の技術においては、親機と子機との関係が、一定距離だけ離れた場合に報知用メッセージを出力するものであり、時間的なものが考慮されておらず、距離が離れただけでメッセージが出力されてしまい、一時的に親機から離れただけでも報知が出力され、よって正確な報知とはならず、また親機と子機との間での連絡もとれないという欠点もある。
【０００６】
特許文献２の技術においては、保護者との間の連絡はとれるものの、そのためには、第三の携帯電話機が必要であり、子機である通信補助装置のみでの通信は不可能であるという欠点がある。
【０００７】
本発明の目的は、親機との距離がわずかな時間、一時的に離れただけでは反応しないようにして、正確な迷子防止を、簡単な構成で可能とした迷子防止システム及びその方法並びにそれに用いる親機及び子機を提供することである。
【０００８】
本発明の他の目的は、親機と子機との間の通信を、第三者の通信端末の介在なしに可能とした迷子防止システム及びその方法並びにそれに用いる親機及び子機を提供することである。
【課題を解決するための手段】
【０００９】
本発明による迷子防止システムは、
電波を送信する親機と、
携帯電話部と、前記親機からの電波が予め設定された時間受信不可の場合に、予め設定された電話番号に対して発信をなすよう前記携帯電話部に対して指示する制御部とを有する子機とを含むことを特徴とする。
【００１０】
本発明による迷子防止方法は、
親機において、電波を送信するステップと、
子機において、前記親機からの電波を受信するステップと、前記電波が予め設定された時間受信不可の場合に、予め設定された電話番号に対して発信をなすステップと含むことを特徴とする。
【００１１】
本発明による子機は、携帯電話部と、親機からの電波を受信する受信部と、前記電波が予め設定された時間受信不可の場合に、予め設定された電話番号に対して発信をなすよう前記携帯電話部に対して指示する制御部とを含むことを特徴とする。
【００１２】
本発明による親機は、子機に対して予め設定された送信電力を有する電波を送信する送信機を有することを特徴とする。
【００１３】
本発明によるプログラムは、迷子防止のために使用される子機の動作をコンピュータにより読み取らせて実行させるようにしたプログラムであって、親機からの電波を受信する処理と、前記電波が予め設定された時間受信不可の場合に、予め設定された電話番号に対して発信をなすよう携帯電話部に対して指示する処理とを含むことを特徴とする。
【発明の効果】
【００１４】
本発明によれば、子機が親機から離れた距離のみならず時間も設定するようにしたので、親機との距離がわずかな時間、一時的に離れても反応しないようになり、よって正確な迷子防止機能が実現できるという効果が得られる。
【００１５】
本発明によれば、子機に、携帯電話機能、特にテレビ電話機能を組み込むことにより、親機（保護者）との連絡がとれ、またテレビ電話により周囲の情報も把握できるので、より正確な迷子防止機能が可能になるという効果が得られる。
【００１６】
本発明によれば、子機の各種設定を、外部装置を介して行うようにしたので、子機を所有する者は、何の操作も必要とせず、また誤操作や第三者による意図的な操作もなくなるという効果が得られる。
【発明を実施するための最良の形態】
【００１７】
以下に、本発明の実施の形態について図面を用いて詳細に説明する。図１は本発明の実施の形態の概略システムブロック図である。図１を参照すると、本実施の形態によるシステムは、送信機能を有する親機１と、親機１からの電波を監視する子機２と、公衆通信網３とを有して構成されている。
【００１８】
親機１は、特定ＩＤ（識別情報）を含む電波をある一定の出力で発信する送信機である。子機２は、親機１の電波を受信機２１で受信することにより親機１の近くにいることを判別し、また予め設定されている距離を一定時間離れることにより（親機１からの電波を一定時間受信できなくなることにより）、携帯電話機２２に対して、電波オン及び予め登録されている電話番号（例えば、保護者の携帯電話番号）に対する発信指令を行う。この指令に応答して、携帯電話機２２は、公衆通信網３に対して、自動発信を行う。この携帯電話機２２はテレビ電話機能を有しており、保護者の携帯電話機（図示せず）もテレビ電話機能を有している。
【００１９】
図２は親機１の概略機能ブロック図である。親機１は、特定のＩＤを含む電波を一定出力で発信する送信部１１と、この電波の送信電力を制御する制御部１２と、この送信電力を設定する入力部１３とを有している。親機１からの電波にＩＤを含めることによって、親機１と子機２とを一対一の関係にすることができる。
【００２０】
図３は子機２のより具体的な機能ブロック図である。子機２は、親機１からの電波を受信する受信部２３と、受信部２３の出力に基づいて、子機２が親機１から離れた時間を監視してテレビ電話付き携帯電話部２６のオンオフ制御する制御２４と、テレビ電話付き携帯電話部２６の操作を行う入力部２５と、テレビ電話付き携帯電話部２６とを有している。子機２の各種設定をなすためには、外部入力装置４を子機２に接続し、この外部入力装置４を介して行うようになっている。
【００２１】
子機２の外観を図４に示す。図４に示す如く、表示部４１、カメラ４２、電源スイッチ４３、発信／終話ボタン４４、マイク４５、スピーカ４６が設けられており、また、外部入力装置４を接続するための外部インタフェース（図示せず）も設けられているものとする。
【００２２】
以下に、本発明の実施の形態の動作について、図５〜図７のフローチャートを用いて説明する。先ず、両機１，２の設定を行う。親機１では、子機２との距離（すなわち、送信すべき電波の強弱であり、送信電力である）を設定する。子機２の設定は、外部入力装置４を接続することに行う。この場合の設定内容は、親機１から離れた時間、保護者への連絡のための電話番号、電話番号に付随する情報（氏名など）、使用する電話番号の選択、電話番号の優先順位などである。
【００２３】
この状態において、通信端末である親機１と子機２の電源が投入されると、両通信端末間の距離が近接していれば（親機の電波が子機で受信できていれば（ＩＤを含めて））、内部のタイマーは動作しない（ステップＳ１，Ｓ２）。子機２が親機１から設定した距離以上離れると、親機２からの電波はとぎれるので（ステップＳ１のＮＯ）、タイマーが動作する（ステップＳ３）。その状態で時間が経過しタイマーがタイムアップすると（ステップＳ４のＹＥＳ）、子機２は携帯電話部２６の電源をオンに制御し（ステップＳ５）、予め登録されている電話番号へ自動発信する（ステップＳ６）。
【００２４】
図６及び図７はこのときの子機の自動発信の場合の動作を示すフローチャートである。電話帳に電話番号が登録されているかどうか調べ（ステップＳ１１）、登録がなければ、携帯電話部の電源をオフとして（ステップＳ１２）、発信処理は終了となる（ステップＳ１３）。電話番号が登録されていれば（ステップＳ１１でＹＥＳ）、使用可能な電話番号の有無を判定する（ステップＳ１４）。なければ、ステップＳ１２，Ｓ１３へと移行し、あれば、図７の動作へ進むことになる。
【００２５】
図７のフローでの概略は、電話帳に複数の電話番号が登録されていたとき、優先順位に基づく発信を行い、ある一定時間応答がないと、リダイヤルを、例えば３回行う。それでも応答がない場合には、次の優先順位の電話番号に対して発信を行い、以降繰り返すことになる。
【００２６】
図７を参照すると、ステップＳ１５において、優先順位Ｉを１に、またリダイヤル回数Ｊを１に、それぞれ設定する。優先順位の最も高い（Ｉ＝１）電話番号の発信処理を行い（ステップＳ１６，Ｓ１７）、応答を待つ。このとき、発信後２０秒間応答がなければ（ステップＳ２０）、リダイヤルを３回行う（ステップＳ２１，Ｓ２２，Ｓ１７，Ｓ１８，Ｓ２０）。応答があれば、発信処理は終了する（ステップＳ１８でＹＥＳ，Ｓ１９）。
【００２７】
リダイヤルを３回行っても応答なければ（ステップＳ２１でＹＥＳ）、優先順位Ｉに１を加算し（ステップＳ２３）、次の優先順位の電話番号に対する発信を行うことになる（ステップＳ１６，１７）。以降同様に、リダイヤル処理も繰り返し行い、全ての電話番号に対する発信を終了すると（ステップＳ２４）、図６のステップＳ１２，Ｓ１３へ戻って発信処理終了となるのである。
【００２８】
子機２の操作ボタンは、図４に示した如く、発信／終話ボタン４４のみで良く、このボタン４４を押圧操作することにより、登録された電話番号へ発信を行うように構成しておくことにより、子機の使用者は電話番号を知らなくても、保護者との連絡がいつでも可能となる。子機の携帯電話部はテレビ電話付きのものとすることにより、周囲の風景を写し出すことができ、カメラを広角レンズとすることにより、より広範囲の風景が撮影できることになる。よって、発信先の電話にもテレビ電話の機能があるのが良い。
【００２９】
発信先にテレビ電話機能がない場合や、テレビ電話が使えない状態の場合には、音声のみでの再発信を行うようにしても良い。また、親機と離れているときに、子機は登録された電話番号のみから着信を受けるようにすることも可能である。
【００３０】
子機が親機の近くにある限り、子機側の携帯電話機の電源が入らないようにしておくことにより、電源消費が削減され電池の寿命が延びることになる。親機は送信機能のみで良いために、小型化、低コスト化が可能となる。
【００３１】
なお、上記の子機における動作は、その動作手順を予めプログラムとしてＲＯＭなどの記録媒体に格納しておき、これをコンピュータにより読み取らせて実行できることは勿論である。
【図面の簡単な説明】
【００３２】
【図１】本発明の実施の形態のシステム概略図である。
【図２】親機１の機能ブロック図である。
【図３】子機２の機能ブロック図である。
【図４】子機２の外観図である。
【図５】本発明の実施の形態の動作を示すフローチャートである。
【図６】本発明の実施の形態の動作を示すフローチャートである。
【図７】本発明の実施の形態の動作を示すフローチャートである。
【符号の説明】
【００３３】
１  親機（送信機）
２  子機
３  公衆通信網
４  外部入力装置
１１  送信部
１２  制御部
１３  入力部
２１  受信機
２２  携帯電話機
２３  受信部
２４  制御部
２５  入力部
２６  テレビ電話付き携帯電話部
【図１】
2007129378.tif 000003
【図２】
2007129378.tif 000004
【図３】
2007129378.tif 000005
【図４】
2007129378.tif 000006
【図５】
2007129378.tif 000007
【図６】
2007129378.tif 000008
【図７】
2007129378.tif 000009